(57)【要約】      （修正有）【課題】少ない部品で安価に構築でき、施工の手間暇やコストを軽減でき、また太陽電池パネルの接合部から雨漏れしても車や地面を濡らすことがない屋根一体型太陽電池パネル付き車庫を提供する。【解決手段】屋根を太陽電池パネル１で形成し、太陽電池パネルの下側に、太陽電池パネルの接合部から漏れる雨水を受けて横樋１０と縦樋１１を介して排水する雨受け部材８を傾斜状に設ける。また梁２を、大梁２ａと小梁２ｂとで形成し、小梁と大梁を梁用固定金具で連結する。さらに、小梁と太陽電池パネルをパネル用固定金具で連結する。【選択図】図１
0003198693.tif 000002
【実用新案登録請求の範囲】
【請求項１】
屋根が太陽電池パネルで形成され、この太陽電池パネルの下側に、太陽電池パネルの接合部から漏れる雨水を受けて排水する雨受け部材が傾斜状に設けられていることを特徴とする屋根一体型太陽電池パネル付き車庫。
【請求項２】
請求項１記載の太陽電池パネル付き車庫であって、太陽電池パネルを支える梁が、支柱の上部に架け渡されている大梁と、向かい合う位置の大梁に架け渡されている小梁とで形成され、この小梁と上記の大梁が梁用固定金具で連結され、この梁用固定金具が、大梁の上面に大梁の長手方向に延びて形成されている溝に嵌合して抜脱が防止される雄型部と、また小梁の下部の両側に小梁の長手方向に延びて形成されている出っ張り部に被せられる押え部と、この押え部を押し下げて小梁を大梁に圧着させる締付部材とを備えて形成され、小梁の上面に太陽電池パネルが設けられていることを特徴とする屋根一体型太陽電池パネル付き車庫。
【請求項３】
請求項２記載の太陽電池パネル付き車庫であって、小梁と太陽電池パネルがパネル用固定金具で連結され、このパネル用固定金具が、小梁の上面に小梁の長手方向に延びて形成されている凹溝に嵌合して抜脱が防止される雄部と、また太陽電池パネルの外周枠に被せられる押え材と、この押え材を押し下げて太陽電池パネルを小梁に圧着する締付用部材とを備えて形成されていることを特徴とする屋根一体型太陽電池パネル付き車庫。
【考案の詳細な説明】
【技術分野】
【０００１】
本考案は、車庫に関し、更に詳しくは屋根が太陽電池パネルで直接形成されている屋根一体型太陽電池パネル付き車庫に関する。
【背景技術】
【０００２】
従来、この種の車庫としては、例えば特許文献１に記載されているものが知られている。
この特許文献１に記載の従来品は、支柱の上部の梁に屋根材が設けられ、この屋根材に太陽電池パネルを支持するための架台が設けられ、この架台に太陽電池パネルが設置されていた。
【０００３】
従って、特許文献１に記載の従来品によると、部品数が多くなり、部品代が増加し、また屋根の重量が増加し、強度の高い高コストの支柱を使用する必要があった。
【０００４】
また施工する場合は、車庫を構築した後、屋根の上に太陽電池パネルを設置する必要があった。
従って、この従来品によると、設置工事に手間暇やコストがかかる、という問題点があった。
【０００５】
而して、発電機能付きの車庫を施工するにあたって、太陽電池パネルを屋根材として単に使用するのでは、太陽電池パネルの接合部からの雨漏れで、駐車中の車や地面を濡らすおそれがある。
【先行技術文献】
【特許文献】
【０００６】
【特許文献１】特開２００２−３０７７４号公報
【考案の概要】
【考案が解決しようとする課題】
【０００７】
本考案は、このような従来の実情に鑑み、提案されたものである。
従って、本考案の解決しようとする技術的課題は、少ない部品で安価に構築でき、施工の手間暇やコストを軽減でき、また太陽電池パネルの接合部から雨漏れしても車や地面を濡らすことがないよう形成した屋根一体型太陽電池パネル付き車庫を提供することにある。
【課題を解決するための手段】
【０００８】
本考案は、上記の課題を解決するために、次のような技術的手段を採る。
即ち、本考案は、図１等に示されるように、屋根が太陽電池パネル１で形成され、この太陽電池パネル１の下側に、太陽電池パネル１の接合部７から漏れる雨水を受けて排水する雨受け部材８が傾斜状に設けられていることを特徴とする（請求項１）。
【０００９】
本考案の場合、雨受け部材８の形状や材質は任意であり、例えば金属板が折り曲げられて形成されているのでも、或いは樹脂材で成形されているのでも良い。また雨受け部材８は、通常、屋根の下側の全面を覆うように設けられるのが好ましいが、これに限定されるものではなく、太陽電池パネル１の接合部７に対応する箇所にだけ設けられているのでも良い。この場合は、材料を節減でき、コストを低減化できる、という利点がある。
【００１０】
而して、本考案は、図１、図２、図５等に示されるように、太陽電池パネル１を支える梁２が、支柱３の上部に架け渡されている大梁２ａと、向かい合う位置の大梁２ａに架け渡されている小梁２ｂとで形成され、この小梁２ｂと上記の大梁２ａが梁用固定金具４で連結され、この梁用固定金具４が、大梁２ａの上面に大梁２ａの長手方向に延びて形成されている溝２ａ１に嵌合して抜脱が防止される雄型部４ａと、また小梁２ｂの下部の両側に小梁２ｂの長手方向に延びて形成されている出っ張り部２ｂ１に被せられる押え部４ｂと、この押え部４ｂを押し下げて小梁２ｂを大梁２ａに圧着させる締付部材４ｃとを備えて形成され、小梁２ｂの上面に太陽電池パネル１が設けられているのが好ましい（請求項２）。
【００１１】
なぜならこれによると、小梁２ｂと大梁２ａとの連結を梁用固定金具４で簡単、迅速にでき、その分、施工にかかる手間暇を軽減できるからである。この本考案の場合、出っ張り部２ｂ１は、小梁２ｂの下部に鍔状に形成され、押え部４ｂと係合するよう形成されているのが好ましい。なぜなら、これによると、がたつくことなく、しっかりと小梁２ｂを固定できるからである。
【００１２】
また本考案は、小梁２ｂと太陽電池パネル１がパネル用固定金具５で連結され、このパネル用固定金具５が、小梁２ｂの上面に小梁２ｂの長手方向に延びて形成されている凹溝２ｂ２に嵌合して抜脱が防止される雄部５ａと、また太陽電池パネル１の外周枠１ａに被せられる押え材５ｂと、この押え材５ｂを押し下げて太陽電池パネル１を小梁２ｂに圧着する締付用部材５ｃとを備えて形成されているのが好ましい（請求項３）。
【００１３】
なぜならこの場合は、パネル用固定金具５を使用して、太陽電池パネル１を小梁２ｂに、簡単、迅速に固定できるからである。
【考案の効果】
【００１４】
本考案は、このように屋根が太陽電池パネルで直接形成されている。
従って、これによると、太陽電池パネル付き車庫を、少ない部品で安価に、また迅速に施工できる。
【００１５】
また本考案は、太陽電池パネルの下側に、太陽電池パネルの接合部から漏れる雨水を受けて排水する雨受け部材が傾斜状に設けられている。
従って、これによると、仮に太陽電池パネルの接合部から雨漏れしても、車や地面を濡らすことがない。
【図面の簡単な説明】
【００１６】
【図１】本考案の車庫の好適な一実施形態を示す側面図である。
【図２】同上車庫の屋根の要部斜視図である。
【図３】梁の構造を説明するための要部斜視図である。
【図４】梁の構造を説明するための要部斜視図である。
【図５】梁用固定金具を説明するための要部斜視図である。
【図６】Ａは梁用固定金具の正面図、Ｂは使用状態時の側面図である。
【図７】パネル用固定金具を説明するための要部斜視図である。
【図８】Ａはパネル用固定金具の使用状態時の正面図、Ｂは側面図である。
【図９】パネル用固定金具を説明するための要部斜視図である。
【図１０】Ａはパネル用固定金具の正面図、Ｂは使用状態時の側面図である。
【図１１】雨受け部材の設置例を説明するための要部正面図である。
【図１２】雨受け部材の要部斜視図である。
【図１３】図１２のXIII―XIII線における断面図である。
【考案を実施するための形態】
【００１７】
以下、本考案の好適な一実施形態を、添付図面に従って説明する。
本考案は、図１等に示されるように、屋根が太陽電池パネル１で形成されている。
【００１８】
太陽電池パネル１を支える梁２は、支柱３の上部に架け渡されている大梁２ａと、向かい合う位置の大梁２ａに架け渡されている小梁２ｂとで形成されている。この小梁２ｂと上記の大梁２ａは、梁用固定金具４で連結されている。
【００１９】
梁用固定金具４は、図５、図６に示されるように、大梁２ａの上面に大梁２ａの長手方向に延びて形成されている溝２ａ１に嵌合して抜脱が防止される雄型部４ａと、また小梁２ｂの下部の両側に小梁２ｂの長手方向に延びて形成されている出っ張り部２ｂ１に被せられる押え部４ｂと、この押え部４ｂを押し下げて小梁２ｂを大梁２ａに圧着させる締付部材４ｃとを備えて形成されている。
【００２０】
溝２ａ１は、この実施形態では平行状に２本形成されている。溝２ａ１の開口部は、内方に突き出されている突き出し部２ａ２で狭められ、この突き出し部２ａ２により雄型部４ａの抜脱を防止できるよう形成されている。
【００２１】
出っ張り部２ｂ１は、この実施形態では小梁２ｂの最下部の両側に、鍔状に形成されている。またこの出っ張り部２ｂ１は、押え部４ｂと係合して外れ難くなるよう側端が上向きに形成されている。
【００２２】
押え部４ｂは、雄型部４ａに固定されている軸４ｄに沿って上下動するよう軸４ｄに嵌め挿されている。なお、締付部材４ｃは、ナットである。
【００２３】
また本考案は、図７〜図１０に示されるように、小梁２ｂと、小梁２ｂの上面に設けられる太陽電池パネル１とが、パネル用固定金具５で連結されている。パネル用固定金具５は、小梁２ｂの上面に小梁２ｂの長手方向に延びて形成されている凹溝２ｂ２に嵌合して抜脱が防止される雄部５ａと、また太陽電池パネル１の外周枠１ａに被せられる押え材５ｂと、この押え材５ｂを押し下げて太陽電池パネル１を小梁２ｂに圧着する締付用部材５ｃとを備えて形成されている。
【００２４】
小梁２ｂは、この実施形態では断面が三角枠状に形成されている。また小梁２ｂの上面は、外側に水平状に突き出され、太陽電池パネル１の設置面として機能するよう形成されている。小梁２ｂは、図３、図４に示されるように、小梁２ｂに挿し嵌められる連結材６で長さを継ぎ足し可能に形成されている。
【００２５】
また凹溝２ｂ２の開口部は、内方に突き出されている突出部２ｂ３により狭められ、この突出部２ｂ３により、雄部５ａの抜脱を防止できるよう形成されている。
【００２６】
而して、パネル用固定金具５は、この実施形態では太陽電池パネル１の接合部７に配置して、隣り合う太陽電池パネル１を小梁２ｂに一緒に固定するのに使用する接合部用の固定金具と（図７参照）、太陽電池パネル１の外周部に配置する外周部用の固定金具（図９参照）との二種類で形成されている。
【００２７】
前者のパネル用固定金具５の押え材５ｂは、隣り合う太陽電池パネル１の外周枠１ａに係合して一度で両側の太陽電池パネル１を押え付けることができるよう、係合用の段差部５ｂ１が両側に形成されている。また後者のパネル用固定金具５の押え材５ｂは、図１０Ｂ等に示されるように、太陽電池パネル１の外周枠１ａに嵌合する断面略ユの字形の嵌合材５ｂ２の下部水平板５ｂ２１に被せられるよう形成されている。
【００２８】
押え材５ｂは、雄部５ａに固定されている軸体５ｄに嵌め挿される。そして、この押え材５ｂは、締付用部材５ｃとしてのナットが締められると、軸体５ｄに沿って押し下げられ、太陽電池パネル１を小梁２ｂに圧着する。
【００２９】
また本考案は、図１１に示されるように、太陽電池パネル１の下側に、太陽電池パネル１の接合部７から漏れる雨水を受けて排水する雨受け部材８が、傾斜状に設けられている。
【００３０】
雨受け部材８は、図１２、図１３に示されるように、この実施形態では溝状部８ａが隣り合わされて波板状に形成されている。そして、溝状部８ａの間の山形部８ｂにネジ孔８ｃが形成され、このネジ孔８ｃにネジ９が通されて、小梁２ｂにネジ止め可能に形成されている。なお、この実施形態の場合、雨受け部材８は、屋根の下側の全面を覆うよう設けられている。
【００３１】
また雨受け部材８の下り傾斜側の末端には、図１に示されるように、横樋１０が設けられている。そして、この横樋１０の一端部に縦樋１１が接続され、この縦樋１１を介して雨水を所定の位置に排水できるよう形成されている。
【００３２】
次に、この実施形態に係る本考案の車庫の施工例を説明する。
先ず、作業者は、支柱３の上部の大梁２ａに、小梁２ｂを梁用固定金具４で連結する（図３、図４の状態参照）。
【００３３】
具体的には、図５、図６に示されるように、溝２ａ１に梁用固定金具４の雄型部４ａを嵌合させ、小梁２ｂの出っ張り部２ｂ１に押え部４ｂを被せて締付部材４ｃとしてのナットを締める。これにより、押え部４ｂが小梁２ｂを大梁２ａに圧着し、小梁２ｂが大梁２ａに固定される。
【００３４】
次に、作業者は、図２に示されるように、小梁２ｂの上面に太陽電池パネル１を配置し、太陽電池パネル１と小梁２ｂをパネル用固定金具５で連結する。具体的には、先ず、パネル用固定金具５の雄部５ａを、小梁２ｂの上面の凹溝２ｂ２に嵌合する。
【００３５】
このパネル用固定金具５を使用する固定作業は、図７、図８に示されるように太陽電池パネル１の接合部７と、図９、図１０に示されるように外周枠１ａとの箇所において行われる。
【００３６】
前者の場合は、先ず、作業者は、押え材５ｂの段差部５ｂ１を太陽電池パネル１の外周枠１ａに係合させ、次に、押え材５ｂを外周枠１ａに被せた状態で締付用部材５ｃとしてのナットを締めて行う。これにより、隣り合う太陽電池パネル１が、一緒に小梁２ｂに圧着される。
【００３７】
また後者の場合は、先ず、作業者は、太陽電池パネル１の外周枠１ａに嵌合材５ｂ２を嵌合する。次に、この嵌合材５ｂ２の下部水平板５ｂ２１に押え材５ｂを被せ、締付用部材５ｃとしてのナットを締めて行う。これにより、太陽電池パネル１の外側端部が小梁２ｂに圧着される。
【００３８】
このようにして太陽電池パネル１で屋根を形成した後、作業者は、図１１に示されるように、雨受け部材８を屋根の下側の全面を覆うようにネジ９で傾斜状に取り付ける。そして、作業者は、図１に示されるように、雨受け部材８の下側の端部に横樋１０を取り付け、横樋１０の端部に縦樋１１を設ける。
【００３９】
本考案は、このように屋根の下側に雨受け部材８が設けられているから、太陽電池パネル１の接合部７から雨漏れしても、雨受け部材８で雨水を受け、横樋１０、縦樋１１を介して所定箇所に排水できる。従って、これによると、車や車庫内の地面を濡らすことがない。
【００４０】
以上の処において、梁用固定金具４及びパネル用固定金具５の構造は、上例に限定されるものではない。また本考案は横樋１０が省略されているのでも良いことは勿論である。
【００４１】
また本考案は、上記の押え部４ｂ、押え材５ｂ、嵌合材５ｂ２が、出っ張り部２ｂ１や外周枠１ａを長い範囲にわたって押えることができるよう、長く形成されているのでも良い。この場合は、押え部４ｂ等の使用個数を節減でき、施工の手間暇を、その分、軽減できる、という利点がある。
【符号の説明】
【００４２】
１      太陽電池パネル
２      梁
２ａ    大梁
２ａ１  溝
２ｂ    小梁
２ｂ１  出っ張り部
２ｂ２  凹溝
３      支柱
４      梁用固定金具
４ａ    雄型部
４ｂ    押え部
４ｃ    締付部材
５      パネル用固定金具
５ａ    雄部
５ｂ    押え材
５ｃ    締付用部材
７      接合部
８      雨受け部材
【図１】
0003198693.tif 000003
【図２】
0003198693.tif 000004
【図３】
0003198693.tif 000005
【図４】
0003198693.tif 000006
【図５】
0003198693.tif 000007
【図６】
0003198693.tif 000008
【図７】
0003198693.tif 000009
【図８】
0003198693.tif 000010
【図９】
0003198693.tif 000011
【図１０】
0003198693.tif 000012
【図１１】
0003198693.tif 000013
【図１２】
0003198693.tif 000014
【図１３】
0003198693.tif 000015